【手続補正書】
【提出日】平成17年1月27日(2005.1.27)
【手続補正１】
【補正対象書類名】明細書
【補正対象項目名】発明の名称
【補正方法】変更
【補正の内容】
【発明の名称】接近検出器を具える電子装置、およびカメラ
【手続補正２】
【補正対象書類名】明細書
【補正対象項目名】特許請求の範囲
【補正方法】変更
【補正の内容】
【特許請求の範囲】
【請求項１】
電子装置であって、
処理ユニットと、
前記処理ユニットと通信可能に構成され、前記電子装置の第１の機能を始動させる作動器と、
前記作動器に関連し、且つ前記処理ユニットと通信可能に構成され、ユーザの指が前記作動器に接近するとそれを検出して、前記電子装置の第２の機能を始動させる接近検出器と、からなる前記電子装置。
【請求項２】
前記接近検出器が、
光を発する光源と、
前記光源から発せられ、且つユーザの指から反射される光を受ける光センサと、
前記光センサおよび前記処理ユニットと通信可能に構成され、前記電子装置の第２の機能を始動させるために、前記作動器に接近する指を検出する閾値レベルを発生する比較器と、からなる請求項１記載の電子装置。
【請求項３】
前記接近検出器が更に、各々が前記比較器と通信している複数の光センサを含む、請求項２記載の電子装置。
【請求項４】
前記接近検出器が、
前記処理ユニットと通信可能に構成され、赤外線を放射する赤外線発生器と、
前記処理ユニットと通信可能に構成され、ユーザの指が前記作動器に接近するとそれを検出し、前記電子装置の第２の機能を始動させる赤外線センサと、からなる請求項１記載の電子装置。
【請求項５】
前記接近検出器が、
同調回路と、
前記同調回路および前記処理ユニットと通信している周波数検出器と、からなる請求項１記載の電子装置。
【請求項６】
コントローラと、
前記コントローラと通信可能に構成され、カメラのシャッタを起動させるシャッタ・ボタンと、
前記シャッタ・ボタンに関連し、且つ前記コントローラと通信可能に構成され、オートフォーカスを始動させるために、ユーザの指が前記シャッタ・ボタンに接近するとそれを感知する接近検出器と、からなるカメラ。
【請求項７】
前記接近検出器が、
光を発する光源と、
前記光源から発せられ、且つユーザの指から反射される光を受ける光センサと、
前記光センサおよび前記コントローラと通信可能に構成され、前記カメラの第２の機能を始動させるために、前記作動器に近接した異なる距離で指を検出する選択可能な閾値レベルを発生する比較器と、からなる請求項６記載のカメラ。
【請求項８】
前記光源がＬＥＤである、請求項７記載のカメラ。
【請求項９】
前記接近検出器が更に、各々が前記比較器と通信している複数の光センサを含む、請求項６記載のカメラ。
【請求項１０】
前記接近検出器が、
前記コントローラと通信可能に構成され、赤外線を放射する赤外線発生器と、
前記コントローラと通信可能に構成され、ユーザの指が前記作動器に接近するとそれを検出し、前記カメラの第２の機能を始動させる赤外線センサと、からなる、請求項６記載のカメラ。
【請求項１１】
前記接近検出器が、
同調回路と、
前記同調回路および前記コントローラと通信している周波数検出器と、からなる請求項６記載のカメラ。
【請求項１２】
コントローラと、
前記コントローラと通信可能に構成され、カメラの第１の機能を始動させる作動器と、
ユーザの指が前記作動器に接近するとそれを検出する手段と、
ユーザの指が前記作動器に接近していることが検出されると、カメラのオートフォーカスを始動させる手段と、からなるカメラ。
【請求項１３】
前記検出手段が、
光を発する光源と、
前記光源から発せられ、且つユーザの指から反射される光を受ける光センサと、
前記光センサおよび前記コントローラと通信可能に構成され、前記作動器に近接した異なる距離で指を検出する選択可能な閾値レベルを発生する比較器と、からなる請求項１２記載のカメラ。
【請求項１４】
前記検出手段が更に、各々が前記比較器と通信している複数の光センサを含む、請求項１３記載のカメラ。
【請求項１５】
前記検出手段が、
前記コントローラと通信可能に構成され、赤外線を放射する赤外線発生器と、
前記コントローラと通信可能に構成され、ユーザの指が前記作動器に接近するとそれを検出する赤外線センサと、からなる請求項１２記載のカメラ。
【請求項１６】
前記検出手段が、
同調回路と、
前記同調回路および前記コントローラと通信している周波数検出器と、からなる請求項１２記載のカメラ。
【請求項１７】
前記同調回路が、インダクタンスとキャパシタンスを具える、請求項１６記載のカメラ。
【手続補正３】
【補正対象書類名】明細書
【補正対象項目名】０００６
【補正方法】変更
【補正の内容】
【０００６】
【課題を解決するための手段】
本発明の１つの形態は、処理ユニット、処理ユニットと通信している作動器、および作動器に関連しており、且つ処理ユニットと通信している接近検出器を具えている電子機器である。作動器は作動と同時に電子機器の第１の機能を始動させる。接近検出器は、ユーザの指が作動器に接近するとそれを検出して、電子機器の第２の機能を始動させる。
【手続補正４】
【補正対象書類名】明細書
【補正対象項目名】０００７
【補正方法】変更
【補正の内容】
【０００７】
本発明の別の形態は、コントローラ、コントローラと通信するシャッタ・ボタン、およびシャッタ・ボタンに関連し、且つコントローラと通信している接近検出器を具えるカメラである。シャッタ・ボタンはカメラのシャッタを始動させる。接近検出器は、オートフォーカスを始動させるために、ユーザの指がシャッタ・ボタンに接近するとそれを感知する。
【手続補正５】
【補正対象書類名】明細書
【補正対象項目名】０００８
【補正方法】変更
【補正の内容】
【０００８】
本発明の更に別の形態は、コントローラ、コントローラと通信可能に構成され、カメラの第１の機能を始動させる作動器、ユーザの指が作動器に接近するとそれを検出する手段、およびユーザの指が作動器に接近して検出されるとカメラのオートフォーカスを始動させる手段を具えるカメラである。
【手続補正６】
【補正対象書類名】明細書
【補正対象項目名】０００９
【補正方法】変更
【補正の内容】
【０００９】
本発明の以下の説明は添付されている図面と共に理解される。対応している参照符号は幾つかの図面について対応している要素を示す。
特許請求の範囲と実施例との対応関係を実施例で使われている参照符号を用いて示すと以下の通りである。
（請求項１）  電子装置であって、
処理ユニット（１２、１６）と、
前記処理ユニットと通信可能に構成され、前記電子装置の第１の機能を始動させる作動器（２２）と、
前記作動器に関連し、且つ前記処理ユニットと通信可能に構成され、ユーザの指（３８）が前記作動器に接近するとそれを検出して、前記電子装置の第２の機能を始動させる接近検出器（３４）と、からなる前記電子装置。
（請求項２）  前記接近検出器が、
光を発する光源と、
前記光源から発せられ、且つユーザの指から反射される光を受ける光センサと、
前記光センサおよび前記処理ユニットと通信可能に構成され、前記電子装置の第２の機能を始動させるために、前記作動器に接近する指を検出する閾値レベルを発生する比較器と、からなる請求項１記載の電子装置。
（請求項３）  前記接近検出器が更に、各々が前記比較器と通信している複数の光センサを含む、請求項２記載の電子装置。
（請求項４）  前記接近検出器が、
前記処理ユニットと通信可能に構成され、赤外線を放射する赤外線発生器と、
前記処理ユニットと通信可能に構成され、ユーザの指が前記作動器に接近するとそれを検出し、前記電子装置の第２の機能を始動させる赤外線センサと、からなる請求項１記載の電子装置。
（請求項５）  前記接近検出器が、
同調回路と、
前記同調回路および前記処理ユニットと通信している周波数検出器と、からなる請求項１記載の電子装置。
（請求項６）  コントローラ（１２、５６）と、
前記コントローラと通信可能に構成され、カメラのシャッタを起動させるシャッタ・ボタン（２２）と、
前記シャッタ・ボタンに関連し、且つ前記コントローラと通信可能に構成され、オートフォーカスを始動させるために、ユーザの指（３８）が前記シャッタ・ボタンに接近するとそれを感知する接近検出器（３４）と、からなるカメラ。
（請求項７）  前記接近検出器が、
光を発する光源と、
前記光源から発せられ、且つユーザの指から反射される光を受ける光センサと、
前記光センサおよび前記コントローラと通信可能に構成され、前記カメラの第２の機能を始動させるために、前記作動器に近接した異なる距離で指を検出する選択可能な閾値レベルを発生する比較器と、からなる請求項６記載のカメラ。
（請求項８）  前記光源がＬＥＤである、請求項７記載のカメラ。
（請求項９）  前記接近検出器が更に、各々が前記比較器と通信している複数の光センサを含む、請求項６記載のカメラ。
（請求項１０）  前記接近検出器が、
前記コントローラと通信可能に構成され、赤外線を放射する赤外線発生器と、
前記コントローラと通信可能に構成され、ユーザの指が前記作動器に接近するとそれを検出し、前記カメラの第２の機能を始動させる赤外線センサと、からなる、請求項６記載のカメラ。
（請求項１１）  前記接近検出器が、
同調回路と、
前記同調回路および前記コントローラと通信している周波数検出器と、からなる請求項６記載のカメラ。
（請求項１２）  コントローラ（１２、５６）と、
前記コントローラと通信可能に構成され、カメラの第１の機能を始動させる作動器（２２）と、
ユーザの指が前記作動器に接近するとそれを検出する手段（３４）と、
ユーザの指が前記作動器に接近していることが検出されると、カメラのオートフォーカス（３４、３６、５６）を始動させる手段と、からなるカメラ。
（請求項１３）  前記検出手段が、
光を発する光源と、
前記光源から発せられ、且つユーザの指から反射される光を受ける光センサと、
前記光センサおよび前記コントローラと通信可能に構成され、前記作動器に近接した異なる距離で指を検出する選択可能な閾値レベルを発生する比較器と、からなる請求項１２記載のカメラ。
（請求項１４）  前記検出手段が更に、各々が前記比較器と通信している複数の光センサを含む、請求項１３記載のカメラ。
（請求項１５）  前記検出手段が、
前記コントローラと通信可能に構成され、赤外線を放射する赤外線発生器と、
前記コントローラと通信可能に構成され、ユーザの指が前記作動器に接近するとそれを検出する赤外線センサと、からなる請求項１２記載のカメラ。
（請求項１６）  前記検出手段が、
同調回路と、
前記同調回路および前記コントローラと通信している周波数検出器と、からなる請求項１２記載のカメラ。
（請求項１７）  前記同調回路が、インダクタンスとキャパシタンスを具える、請求項１６記載のカメラ。
【手続補正７】
【補正対象書類名】明細書
【補正対象項目名】００１１
【補正方法】変更
【補正の内容】
【００１１】
図１で、装置（カメラ）１０は、作動器１４、コントローラ１２、および論理回路１６を具えている。作動器１４は、装置１０の或る特定の特徴／機能を制御するボタン、スイッチなどである。装置１０は、コントローラ１２の制御下にあり、ここで紹介されている種々の特徴／機能を遂行するために必要な、並びに装置１０の他のあらゆる特徴／機能を遂行するために必要な、論理回路１６を具えている。コントローラ１２は、マイクロプロセッサ、マイクロコントローラ、処理ユニットなどであって、作動器１４および論理回路１６と通信している。